(57)【特許請求の範囲】
【請求項１】
立軸回転電機の固定子枠と、その荷重を支持する固定子ベースとの間の接合部に固定子取付けボルトが配設され、前記固定子枠と、前記固定子ベースとの間が前記固定子取付けボルトによって取り付けられる固定子枠と固定子ベースとの結合構造であって、
前記固定子取付けボルトは、ボルト頭部の軸心部に軸方向に延設された軸方向穴と、前記軸方向穴から前記ボルトの外周面に向けて放射状に抜ける突き抜け穴とを有する給油穴を有し、
前記固定子ベースと前記固定子枠との接触面のうち少なくとも前記固定子ベース側の接触面に、前記固定子取付けボルトのボルト穴同士をつなぐように配列した給油溝を有することを特徴とする固定子枠と固定子ベースとの結合構造。
【請求項２】
前記固定子取付けボルトは、前記立軸回転電機の回転軸に対する周方向に複数本が配列されてなり、
前記給油溝は、前記固定子取付けボルトよりも内周側にて前記複数本の前記固定子取付けボルトの配列方向に伸びる第１給油溝と、当該第１給油溝から前記複数本の前記固定子取付けボルトのボルト穴のそれぞれを貫通するように伸びる第２給油溝と、を有することを特徴とする請求項１記載の固定子枠と固定子ベースとの結合構造。
【請求項３】
立軸回転電機の固定子枠と、その荷重を支持する固定子ベースとの間の接合部に固定子取付けボルトが配設され、前記固定子枠と、前記固定子ベースとの間が前記固定子取付けボルトによって取り付けられる固定子枠と固定子ベースとの結合構造であって、
前記固定子枠を前記固定子ベースからジャッキアップするための油圧ジャッキと、
前記立軸回転電機の駆動時に前記固定子枠の変位を計測するための変位センサと、
前記変位センサの検出結果に応じて前記油圧ジャッキを駆動するコントローラとを設けたことを特徴とする固定子枠と固定子ベースとの結合構造。
【請求項４】
請求項１または請求項２に記載の固定子枠と固定子ベースとの結合構造であって、
前記給油溝に潤滑剤を注入するための高圧油配管を有することを特徴とする固定子枠と固定子ベースとの結合構造。
【請求項５】
請求項４に記載の固定子枠と固定子ベースとの結合構造であって、
前記立軸回転電機の駆動時に前記固定子枠の変位を計測するための変位センサと、
前記高圧油配管のへの前記潤滑剤の注入を制御する制御弁と、
前記変位センサの検出結果に応じて前記制御弁を動作させるコントローラとをさらに設けたことを特徴とする固定子枠と固定子ベースとの結合構造。
【請求項６】
前記請求項１乃至５のいずれか１の固定子枠と固定子ベースとの結合構造を有する立軸回転電機。
【請求項７】
立軸回転電機の負荷運転を開始する負荷運転開始ステップと、
前記負荷運転開始ステップの後に前記立軸回転電機の固定子枠の変位を計測する変位計測ステップと、
前記変位計測ステップで計測した前記固定子枠の前記変位の検出結果に応じて、前記固定子枠の荷重を支持する固定子ベースの上に前記立軸回転電機の周方向に複数配置されて前記固定子枠を前記固定子ベースからジャッキアップするための油圧ジャッキに対して制御信号を出力する制御信号出力ステップと、
を備えることを特徴とする立軸回転電機の運転方法。
【請求項８】
立軸回転電機の負荷運転を開始する負荷運転開始ステップと、
前記負荷運転開始ステップの後に前記立軸回転電機の固定子枠の変位を計測する変位計測ステップと、
前記変位計測ステップで計測した前記固定子枠の前記変位の検出結果に応じて、前記固定子枠の荷重を支持する固定子ベースと前記固定子枠との接触面のうち少なくとも前記固定子ベース側に設けられた給油溝に対する潤滑剤の注入を制御する注入動作制御ステップと、
を備えることを特徴とする立軸回転電機の運転方法。
【発明の詳細な説明】
【技術分野】
【０００１】
本発明の実施形態は、立軸回転電機の固定子枠と固定子ベースとの結合構造と立軸回転電機と立軸回転電機の運転方法に関する。
【背景技術】
【０００２】
立軸回転電機（例えば水車発電機）では、固定子枠が固定子ベースにより支持される。通常は、基礎コンクリート上に設置された固定子ベースに固定子枠がボルト止めされている。発電機運転時、固定子枠は熱膨張により変形する。ここで、固定子が過度に拘束されていると、固定子の真円度が低下する。そのため、固定子枠と固定子ベース間の摩擦力の低減が求められている。固定子を分解することなく固定子ベースと固定子枠との接触面に潤滑剤を供給する手段として、固定子枠と固定子ベースとの締結時に、予め潤滑剤供給用の穴のあいたボルトを使用するものがある。
【０００３】
また、固定子の真円度が低下した場合に固定子を外部に吊り出すことなく真円度を修正する手段として、固定子枠の外周側に固定子枠の周方向に沿って複数の電動サーボモータを配置した固定子の最適位置調整装置がある。ここでは、各電動サーボモータのロッドの先端に取り付けた圧力センサからの検出結果に基づいて各電動サーボモータの動作を制御して固定子枠の周方向の複数の位置で固定子枠の熱伸びが均等になるようにバランスさせる構成になっている。
【先行技術文献】
【特許文献】
【０００４】
【特許文献１】特許第４４７３６４９号公報
【発明の概要】
【発明が解決しようとする課題】
【０００５】
上述したように固定子枠と固定子ベースとのボルト止め部分に潤滑剤供給用の穴のあいたボルトを使用する場合は、ボルトに設けた潤滑剤供給用の穴より潤滑剤を接触面へ供給することになる。この場合、潤滑剤供給用の穴から供給された潤滑剤を固定子ベースと固定子枠との接触面全体へ浸透させることが難しい。
【０００６】
また、偏芯する固定子の最適位置調整装置においては、固定子の外周側へ周方向に沿って複数の電動サーボモータを配置する構成になっているので、発電機外径が大きくなる。さらに、固定子の熱伸びによる変形量を事前に把握する必要がある。また、固定子枠外側より固定子枠の変形を抑制するのみであるため、例えば固定子の熱伸びが不均等で真円度が低下した際、熱伸びできていない一部分の熱伸びを促進することによる真円度の修正が不可能である。
【０００７】
実施形態は、固定子の真円度を維持することのできる立軸回転電機の固定子枠と固定子ベースとの間の取付け構造と立軸回転電機と立軸回転電機の運転方法を提供することが課題である。
【課題を解決するための手段】
【０００８】
実施形態によれば、立軸回転電機の固定子枠と、その荷重を支持する固定子ベースとの間の接合部に固定子取付けボルトが配設される。前記固定子枠と、前記固定子ベースとの間が前記固定子取付けボルトによって取り付けられる固定子枠と固定子ベースとの結合構造である。前記固定子取付けボルトは、ボルト頭部の軸心部に軸方向に延設された軸方向穴と、前記軸方向穴から前記ボルトの外周面に向けて放射状に抜ける突き抜け穴とを有する給油穴を有する。前記固定子ベースと前記固定子枠との接触面のうち少なくとも前記固定子ベース側の接触面に、前記固定子取付けボルトのボルト穴同士をつなぐように配列した給油溝を有する。
【図面の簡単な説明】
【０００９】
【図１】第１の実施の形態の立軸回転電機の固定子ベースと固定子枠との結合部分の概略構成を示す要部の縦断面図。
【図２】第１の実施の形態の立軸回転電機の固定子枠と固定子ベースとの間の締め付けボルトの連結部分を示す平面図。
【図３】図２のＩＩＩ−ＩＩＩ線断面図。
【図４】第２の実施の形態の立軸回転電機の固定子枠と固定子ベースとの間の締め付けボルトの連結部分を示す要部の縦断面図。
【図５】第３の実施の形態の立軸回転電機の固定子枠と固定子ベースとの間の締め付けボルトの連結部分を示す要部の縦断面図。
【図６】図５のＶＩ−ＶＩ線断面図。
【図７】第４の実施形態の立軸回転電機の固定子ベースに配置された油圧ジャッキの制御系を示す概略構成図。
【図８】第４の実施形態の立軸回転電機に設けられた変位センサの設置位置を示す要部の縦断面図。
【図９】第４の実施形態の立軸回転電機の固定子枠の真円度の調整時の油圧ジャッキの動作を説明するためのフローチャート。
【図１０】第５の実施形態の立軸回転電機に配置された油圧ジャッキの装着状態を示す側面図。
【図１１】第６の実施形態の立軸回転電機に配置された高圧油配管の配設状態を示すもので、（Ａ）は平面図、（Ｂ）は側面図、（Ｃ）は要部の縦断面図。
【図１２】第６の実施形態の立軸回転電機の変形例による固定子枠の真円度の調整時の高圧油の注入動作を説明するためのフローチャート。
【発明を実施するための形態】
【００１０】
［第１の実施の形態］  
（構成）  
以下、図面に示す実施の形態を詳細に説明する。図１乃至図３は、第１の実施の形態を示す。図１は、本実施の形態の立軸回転電機の一例である立軸発電機１の要部構成を示す縦断面図である。立軸発電機１は、図示しない回転軸に取付けられた回転子２と、この回転子２にエアギャップを存して配置された固定子３とを有する。固定子３は、固定子枠４などで構成されている。また、基礎コンクリート５上には、固定子枠４の周方向に沿って複数の固定子ベース６が埋設されている。固定子枠４は、この固定子ベース６に支持されている。ここで、固定子枠４と、固定子ベース６との間は、図２に示すように複数の締め付けボルト（固定子取付けボルト）７によってボルト止めされる状態で締結されている。
【００１１】
各締め付けボルト７は、図３に示すように潤滑剤１２を給油する際に使用される給油穴８を有する。この給油穴８は、１つの軸方向穴８ａと、複数の突き抜け穴８ｂとを有する。軸方向穴８ａは、締め付けボルト７のボルト頭部７ａの軸心部に軸方向に延設されている。複数の突き抜け穴８ｂは、軸方向穴８ａの終端部からボルト７の外周面に向けて放射状に抜ける状態で形成されている。また、固定子枠４と、固定子ベース６には、各締め付けボルト７を挿通する複数のボルト穴１１がそれぞれ形成されている。
【００１２】
本実施の形態では、上記構造において、固定子枠４と、固定子ベース６との間の接合面に潤滑剤による潤滑機能を高める潤滑機能の活性化手段９を設けている。この活性化手段９は、固定子ベース６と固定子枠４との接触面のうち少なくとも固定子ベース６側の接触面に、給油溝１０を設けている。この給油溝１０は、固定子ベース６に形成された複数のボルト穴１１間をつなぐように配列したものである。
【００１３】
（作用）
次に、上記構成の作用について説明する。本実施の形態の立軸発電機１によれば、締め付けボルト７の給油穴８より供給した液状の潤滑剤１２を、固定子ベース６の給油溝１０へと流入させることができる。これにより、液状の潤滑剤１２を固定子枠４と、固定子ベース６との間の接合面の広い面積に浸透させることができる。そのため、立軸発電機１の駆動時に、固定子枠４が熱伸びした際に、固定子ベース６の給油溝１０に流入した液状の潤滑剤１２を、熱伸びによる摺動によって、固定子ベース６と固定子枠４との接触面に塗り広げることができ、固定子ベース６と固定子枠４との接触面の摩擦力を低減することができる。
【００１４】
（効果）  
そこで、上記構成のものにあっては次の効果を奏する。すなわち、本実施の形態の立軸発電機１では、締め付けボルト７の給油穴８より供給した液状の潤滑剤を固定子枠４と、固定子ベース６との間の接合面の広い面積に浸透させることができる。そのため、固定子３が熱伸びをした際に、固定子枠４と固定子ベース６の摺動面の摩擦力が低減され、固定子枠４の熱伸び量が均等になるので、固定子３の真円度を維持することができる。
【００１５】
［第２の実施の形態］  
（構成）  
図４は、第２の実施の形態を示す。本実施の形態は、第１の実施の形態（図１乃至図３参照）の立軸発電機１の構成を次の通り変更した変形例である。なお、図４中で、図１乃至図３と同一部分には同一の符号を付してその説明を省略する。
【００１６】
本実施の形態では、潤滑機能の活性化手段として固定子ベース６と固定子枠４との接触面のほぼ全面に潤滑剤との親和性を高める表面処理を施した表面処理部２１をそれぞれ設けたものである。なお、表面処理部２１は、必ずしも固定子ベース６と固定子枠４との接触面の両方に設ける必要はなく、固定子ベース６と固定子枠４との接触面のうち少なくともいずれか一方の面に設ける構成にしてもよい。この表面処理部２１は、固定子ベース６と固定子枠４との接触面であるそれぞれの金属面に、例えばプラズマ照射や、二酸化チタンなどの被膜の形成により親水（親油）化処理を施したものである。
【００１７】
（作用）  
次に、上記構成の作用について説明する。本実施の形態によれば、締め付けボルト７の給油穴８より液状の潤滑剤１２を供給した際に、液状の潤滑剤１２を固定子ベース６と固定子枠４との接触面の表面処理部２１によって固定子ベース６と固定子枠４との接触面全体の広い範囲にわたり浸透が促される。そのため、従来の潤滑剤の供給時よりも、固定子ベース６と固定子枠４との接触面全体の広い範囲に潤滑剤を塗り広げることができるので、固定子ベース６と固定子枠４との接触面の摩擦力を低減することができる。
【００１８】
（効果）  
本実施の形態では、固定子ベース６と固定子枠４との接触面に潤滑剤との親和性を高める表面処理を施した表面処理部２１をそれぞれ設けている。これにより、本実施の形態でも第１実施形態と同様に締め付けボルト７の給油穴８より供給した液状の潤滑剤を固定子枠４と、固定子ベース６との間の接合面の広い面積に浸透させることができる。そのため、固定子３の熱伸びを促進することができるので、固定子３の真円度を維持することができる効果がある。
【００１９】
なお、本実施の形態の表面処理部２１に替えて固定子ベース６と固定子枠４との接触面に表面テクスチャを形成する構成にしてもよい。この表面テクスチャは、フェムト秒レーザを照射することで形成されるサブミクロンオーダーの微細な表面周期構造の微細加工面を設けたものである。このように固定子ベース６と固定子枠４との接触面などの摺動部品にマイクロテクスチャ加工した場合、穴や溝が潤滑油の「油だまり」の役割を果たし、摩擦抵抗や摩耗を減らせる。本変形例では、液状の潤滑剤１２が表面テクスチャの凹部へ保持され、摩擦力を低減することができる。
【００２０】
［第３の実施の形態］  
（構成）  
図５および図６は、第３の実施の形態を示す。なお、図５および図６中で、図１乃至図３と同一部分には同一の符号を付してその説明を省略する。本実施の形態では、立軸発電機１の固定子ベース６における固定子枠４との接触面に固体潤滑剤装着用の凹部３１を設け、この凹部３１に固体潤滑剤３２を装着したものである。この凹部３１は、固定子ベース６におけるボルト穴１１の周囲を囲む状態で、固定子枠４との接触面のほぼ全体にわたり広い面積に形成されている。固体潤滑剤３２は、例えばＰＴＦＥや、グラファイトなどである。
【００２１】
（作用・効果）  
本実施例によれば、立軸発電機１の駆動時に、固定子枠４が熱伸びし、固定子ベース６と摺動した際の摩擦力を固体潤滑剤３２により低減することができる。また、本実施の形態では、第１実施形態の効果に加え、液状の潤滑剤１２を使用する際に必要な、定期的な潤滑剤の注入作業を行うことなく、固体潤滑剤３２により固定子ベース６と前記固定子枠４との摩擦力を低減することができる。
【００２２】
なお、本実施の形態では、固体潤滑剤３２を固定子ベース６の凹部３１に装着した構成を示したが、固定子枠４における固定子ベース６との接触面に固体潤滑剤装着用の凹部３１を設け、この凹部３１に固体潤滑剤３２を装着する構成にしてもよい。また、固定子枠４と、固定子ベース６との間の接触面の両方に設ける構成や、固定子枠４と固定子ベース６へは凹部３１を設けず、間に個体潤滑剤３２の薄板を挟む構成でもよい。
【００２３】
また、固定子ベース６と固定子枠４との接触面に、炭素の拡散浸透層を形成することや、ＤＬＣ被膜をコーティングすることによっても、固体潤滑効果によって摩擦力を低減することができる。
【００２４】
［第４の実施の形態］  
（構成）  
図７乃至図９は、第４の実施の形態を示す。なお、図７乃至図９中で、図１乃至図３と同一部分には同一の符号を付してその説明を省略する。本実施の形態では、図７に示すように固定子枠４を固定子ベース６からジャッキアップするための複数の油圧ジャッキ４１と、固定子枠４の変位を計測するための複数の変位センサ４２と、変位センサ４２の検出結果に応じて油圧ジャッキ４１を駆動するコントローラ４３とを設けている。
【００２５】
油圧ジャッキ４１は、固定子ベース６上に固定子３の周方向に沿って複数個所に並設されている。油圧ジャッキ４１でジャッキアップすることにより固定子枠４を支持可能である。例えば、油圧ジャッキ４１の駆動部の電磁弁は、例えばＣＰＵとその周辺回路で構成されるコントローラ４３に接続されている。
【００２６】
変位センサ４２は、例えば固定子枠４の外側に固定子３の周方向に沿って複数個所に並設されている。各変位センサ４２は、コントローラ４３に接続されている。そして、変位センサ４２の検出信号がコントローラ４３に入力され、変位センサ４２の検出結果に応じてコントローラ４３から油圧ジャッキ４１に制御信号が出力される。
【００２７】
（作用）  
次に、上記構成の作用について説明する。図９は、本実施の形態の立軸発電機１の固定子枠４の真円度の調整時の油圧ジャッキ４１の動作を説明するためのフローチャートである。立軸発電機１の駆動時には、ステップＳ１で負荷運転が開始されると、固定子３の熱伸びが開始される（ステップＳ２）。そして、固定子３の周方向に沿って複数個所に並設されている複数の変位センサ４２のいずれかのＯＮ動作（ステップＳ３）により、固定子３の不均等な熱伸び発生が検出される（ステップＳ４）。このとき、固定子枠４と、固定子ベース６との間の摩擦により熱伸びが遅れている箇所が検出される。
【００２８】
ここで、熱伸びが遅れている箇所の油圧ジャッキ４１にコントローラ４３から制御信号が出力され、油圧ジャッキ４１によりジャッキアップされる（ステップＳ５）。これにより、固定子３と固定子ベース６との接触面の凝着が引き剥がされることで、再度、熱伸びが開始される（ステップＳ６）。この動作が繰り返されることで固定子３の熱伸び量が固定子３の周方向に沿って均等になるよう自動調整される（ステップＳ７）。
【００２９】
（効果）  
本実施例によれば、固定子枠４が熱伸びをした際、変位センサ４２により熱伸び量を計測している。そして、固定子ベース６と固定子枠４との接触面の摩擦力が不均等であることにより、熱伸び量が不均等であることを変位センサ４２により検知すると、油圧ジャッキ４１により固定子枠４の、熱伸び量が不足している部分をジャッキアップする。この油圧ジャッキ４１をジャッキアップする動作により、固定子ベース６と固定子枠４との接触面の凝着による摩擦力を低減することができる。そのため、油圧ジャッキ４１によってジャッキアップされた部分の熱伸びが促進されるので、固定子枠４の熱伸び量が固定子３の周方向に沿って均等になり、不均等な熱伸びにより低下した真円度を修正することができる。
【００３０】
［第５の実施の形態］  
（構成）  
図１０は、第５の実施の形態を示す。本実施の形態は第４の実施の形態（図７乃至図９参照）の変形例である。ここでは、複数の油圧ジャッキ４１は、図１０に示すように基礎コンクリート５上に設置した固定子ベース６とは異なる台５１上に設置されている。また、変位センサ４２は、第４の実施の形態と同様に、例えば固定子枠４の外側に固定子３の周方向に沿って複数個所に並設されている。そして、変位センサ４２の検出結果に応じてコントローラ４３による複数の油圧ジャッキ４１の制御も第４の実施の形態と同様に行われる。
【００３１】
（作用・効果）  
本実施の形態の構成でも第４の実施の形態と同様の効果が得られる。さらに、締め付けボルト７の周囲にあらかじめ液状の潤滑剤１２を注入しておくことや、給油穴８をあけた締め付けボルト７を固定子ベース６と固定子枠４の締結に用いれば、油圧ジャッキ４１のジャッキアップ時に固定子枠４と、固定子ベース６との間の接触面へ潤滑油を注入することができ、より大きな効果を得ることができる。
【００３２】
［第６の実施の形態］  
（構成）  
図１１（Ａ）〜（Ｃ）は、第６の実施の形態を示す。本実施の形態は、図１１（Ａ）〜（Ｃ）に示すように固定子ベース６に液状の潤滑剤１２を注入することのできる高圧油配管６１を接続している。この高圧油配管６１は図示しない制御弁の開閉動作によって潤滑剤１２の注入動作が制御されるようになっている。
【００３３】
さらに、固定子ベース６には、高圧油配管６１の接続部から固定子枠４との接触面へと繋がる油通路６２と、第１の実施の形態（図１〜図３参照）と同様の給油溝１０とが設けられている。
【００３４】
（作用・効果）  
本実施例によれば、固定子ベース６と固定子枠４を分解することなく、定期的もしくは始動前に高圧油配管６１を通じて液状の潤滑剤１２を固定子ベース６と固定子枠４との接触面へ注入することができるため、固定子ベース６と固定子枠４との接触面の摩擦力を低減させることができる。
【００３５】
［第６の実施の形態の変形例］  
（構成）  
固定子ベース６の外周面に固定子ベース６と同数の高圧油配管６１を接続している。各高圧油配管６１の接続部は、固定子３の周方向に沿って複数個所に並設されている。各高圧油配管６１は図示しない制御弁の開閉動作によって潤滑剤１２の注入動作が制御されるようになっている。
【００３６】
また、本変形例では、第４の実施の形態（図７乃至図９参照）と同様に、固定子枠４の変位を計測するための複数の変位センサ４２と、変位センサ４２の検出結果に応じて各高圧油配管６１の制御弁を駆動するコントローラ４３とを設けている。
【００３７】
（作用）  
次に、上記構成の作用について説明する。図１２は、本変形例の立軸発電機１の固定子枠４の真円度の調整時の高圧油の注入動作を説明するためのフローチャートである。立軸発電機１の駆動時には、ステップＳ１１で負荷運転が開始されると、固定子３の熱伸びが開始される（ステップＳ１２）。そして、固定子３の周方向に沿って複数個所に並設されている複数の変位センサ４２のいずれかのＯＮ動作（ステップＳ１３）により、固定子３の不均等な熱伸び発生が検出される（ステップＳ１４）。このとき、固定子枠４と、固定子ベース６との間の摩擦により熱伸びが遅れている箇所が検出される。
【００３８】
ここで、コントローラ４３から制御信号が出力され、熱伸びが遅れている箇所の高圧油配管６１と対応する制御弁を開く動作が行われる（ステップＳ１５）。このとき、固定子枠４と固定子ベース６との接触面へ潤滑剤を強制注入する（ステップＳ１６）。これにより、固定子３と固定子ベース６との接触面の凝着が引き剥がされることで、再度、熱伸びが開始される（ステップＳ１７）。この動作が繰り返されることで固定子３の熱伸び量が固定子３の周方向に沿って均等になるよう自動調整される（ステップＳ１８）。
【００３９】
（効果）  
そこで、上記構成のものにあっては、固定子３の周方向に沿って複数個所に変位センサ４２を設置し、固定子枠４が熱伸びをした際、接触面の摩擦力が不均等であることにより熱伸び量が不均等であることを検知すると、熱伸び量が不足している部分の接触面へ高圧油配管６１を通じて液状の潤滑剤１２を注入することができる。潤滑剤１２が注入されることで固定子ベース６と固定子枠４との接触面の摩擦力が低減されるため、熱伸び量が少なく潤滑剤１２が注入された部分の熱伸びが促進される。その結果、固定子枠４の熱伸び量が均等になり、不均等な熱伸びにより低下した真円度を修正することができる。
【００４０】
これらの実施形態によれば、固定子の真円度を維持することのできる立軸回転電機の固定子枠と固定子ベースとの結合構造と立軸回転電機を提供することができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１…立軸発電機、２…回転子、３…固定子、４…固定子枠、５…基礎コンクリート、６…固定子ベース、７…締め付けボルト、７ａ…ボルト頭部、８…給油穴、８ａ…軸方向穴、８ｂ…突き抜け穴、９…活性化手段、１０…給油溝、１１…ボルト穴、１２…潤滑剤、２１…表面処理部、３１…凹部、３２…固体潤滑剤、４１…油圧ジャッキ、４２…変位センサ、４３…コントローラ、５１…台、６１…高圧油配管、６２…油通路。
【図１】
0006386823.tif 000002
【図２】
0006386823.tif 000003
【図３】
0006386823.tif 000004
【図４】
0006386823.tif 000005
【図５】
0006386823.tif 000006
【図６】
0006386823.tif 000007
【図７】
0006386823.tif 000008
【図８】
0006386823.tif 000009
【図９】
0006386823.tif 000010
【図１０】
0006386823.tif 000011
【図１１】
0006386823.tif 000012
【図１２】
0006386823.tif 000013